(57)【特許請求の範囲】
【請求項１】
文字や画像の記載された文書がシュレッダーによって細断された場合に、一の細断片に表示される文書中の文字や画像の範囲を認識させることが可能な認識用ツールであって、
シート材を備え、
前記シート材には、裏面側に配置される前記文書を、表面側から視ることの可能な窓部が形成されており、
前記窓部は、前記細断片と一致するサイズを有する、認識用ツール。
【請求項２】
前記窓部は、前記シート材の透明な部分によって構成されるものであり、色の相違により、前記窓部と、その周辺の部分とを区別可能である、請求項１に記載の認識用ツール。
【請求項３】
前記シート材には、前記窓部とサイズが一致する前記細断片に関する情報が、前記窓部と対応付けて記載されている、請求項１又は２に記載の認識用ツール。
【請求項４】
前記シート材には、サイズの異なる前記窓部が複数形成されているとともに、各前記窓部とサイズが一致する前記細断片に関する情報が、各前記窓部と対応付けて記載されている、請求項３に記載の認識用ツール。
【請求項５】
前記細断片に関する情報は、前記窓部とサイズが一致する細断片の縦横の寸法、又は当該縦横の寸法の細断片に文書を細断可能なシュレッダーを特定する情報である、請求項３又は４に記載の認識用ツール。
【請求項６】
前記シート材の表面に積層される表面フィルムと、前記シート材の裏面に積層される裏面フィルムとをさらに備え、
前記表面フィルムや前記裏面フィルムにおいて、少なくとも前記窓部の上側や下側に積層される部分が透明であることで、前記窓部の位置において、前記表面フィルム側から、前記裏面フィルム側に配置される前記文書を視ることが可能である、請求項１乃至５のいずれかに記載の認識用ツール。
【請求項７】
前記シート材と対向配置される他のシート材をさらに備え、
前記シート材と前記他のシート材とにおける、一部の端辺がつながり、残余の端辺が開放縁とされることで、前記シート材と前記他のシート材との間に文書を挟み込んで保持可能である、請求項１乃至６のいずれかに記載の認識用ツール。
【発明の詳細な説明】
【技術分野】
【０００１】
本発明は、文字や画像の記載された文書がシュレッダーによって細断された場合に、一の細断片に表示される文書中の文字や画像の範囲を認識させることが可能な認識用ツールに関する。
【背景技術】
【０００２】
従来、シュレッダーを販売するための営業活動において、シュレッダーを特定する情報（シュレッダーの型番や写真等）や、シュレッダーによる細断片の縦横の寸法が記載されたカタログが使用されている。
【発明の概要】
【発明が解決しようとする課題】
【０００３】
シュレッダーの営業活動で使用される一般的なカタログは、細断片の縦横の寸法を数字で示すものであり、顧客に対して、細断片の形状や、細断片に表示される文字の範囲を、視覚的に認識させるものではなかった（上記の「細断片に表示される文字の範囲」とは、文字の記載された文書がシュレッダーで細断された場合に、一の細断片に表示される文字の範囲を意味する）。このため、顧客は、カタログに紹介されるシュレッダーで、文字が読み取れなくなる程度に文書を細断できるか否か直ちに判断できず、上記細断片に表示される文字の範囲を予想すべく、細断片と同じ形状の図形（例えば細断片に対応する長方形）を文書に書いてみて、図形と重なる文字のうち、どのくらいの範囲が図形の内側に入っているか確認するような手間を要していた。
【０００４】
本発明は、上記事項に鑑みてなされたものであって、その目的は、文書中の文字や画像が読み取れなくなる程度に、文書を細断できるか否か容易に判断可能な認識用ツールを提供することである。
【課題を解決するための手段】
【０００５】
上記目的を達成するため、本発明は、次の項に記載の主題を包含する。
【０００６】
項１．文字や画像の記載された文書がシュレッダーによって細断された場合に、一の細断片に表示される文書中の文字や画像の範囲を認識させるための認識用ツールであって、
シート材を備え、
前記シート材には、裏面側に配置される前記文書を、表面側から視ることの可能な窓部が形成されており、
前記窓部は、前記細断片と一致するサイズを有する、認識用ツール。
【０００７】
項２．前記窓部は、前記シート材の透明な部分によって構成されるものであり、色の相違により、前記窓部と、その周辺の部分とを区別可能である、項１に記載の認識用ツール。
【０００８】
項３．前記シート材には、前記窓部とサイズが一致する前記細断片に関する情報が、前記窓部と対応付けて記載されている、項１又は２に記載の認識用ツール。
【０００９】
項４．前記シート材には、サイズの異なる前記窓部が複数形成されているとともに、各前記窓部とサイズが一致する前記細断片に関する情報が、各前記窓部と対応付けて記載されている、項３に記載の認識用ツール。
【００１０】
項５．前記細断片に関する情報は、前記窓部とサイズが一致する細断片の縦横の寸法、又は当該縦横の寸法の細断片に文書を細断可能なシュレッダーを特定する情報である、項３又は４に記載の認識用ツール。
【００１１】
項６．前記シート材の表面に積層される表面フィルムと、前記シート材の裏面に積層される裏面フィルムとをさらに備え、
前記表面フィルムや前記裏面フィルムにおいて、少なくとも前記窓部の上側や下側に積層される部分が透明であることで、前記窓部の位置において、前記表面フィルム側から、前記裏面フィルム側に配置される前記文書を視ることが可能である、項１乃至５のいずれかに記載の認識用ツール。
【００１２】
項７．前記シート材と対向配置される他のシート材をさらに備え、
前記シート材と前記他のシート材とにおける、一部の端辺がつながり、残余の端辺が開放縁とされることで、前記シート材と前記他のシート材との間に文書を挟み込んで保持可能である、項１乃至６のいずれかに記載の認識用ツール。
【発明の効果】
【００１３】
本発明によれば、文書に記載されている文字や画像と窓部とが重なり合うように、認識用ツールの裏面側に文書を配置して、窓部に内側に視える文字等の範囲を確認することで、細断片に表示される文字等の範囲を視覚的に認識できる。したがって文字等が読み取れなくなる程度に、文書を細断できるか否か容易に判断できる。
【図面の簡単な説明】
【００１４】
【図１】本発明の第１実施形態に係る認識用ツールを示す図であり、（ａ）は認識用ツールの正面図、（ｂ）は（ａ）のＡ−Ａ線断面図、（ｃ）は（ａ）のＢ−Ｂ線断面図である。
【図２】文字の記載された文書や、当該文書をシート材の裏面側に配置した状態を示す正面図である。
【図３】窓部を通じて視ることのできる文字の範囲を示す正面図である。
【図４】本発明の第２実施形態の認識用ツールを示す図であり、（ａ）は認識用ツールの正面図、（ｂ）は（ａ）のＡ−Ａ線断面図、（ｃ）は（ａ）のＢ−Ｂ線断面図である。
【図５】文字の記載された文書や、当該文書をシート材の裏面側に配置した状態を示す正面図である。
【図６】本発明の第３実施形態の認識用ツールを示す正面図である。
【図７】第３実施形態の認識用ツールを製造するために使用される基材シートを示す正面図である。
【図８】文字の記載された文書や、２つのシート材の間に文書を挟み込んだ状態を示す正面図である。
【発明を実施するための形態】
【００１５】
以下、本発明の実施形態について、添付図面を参照しながら説明する。なお、本発明における「細断片に表示される文字等の範囲」とは、「文字や画像の記載された文書がシュレッダーによって細断された場合に、一の細断片に表示される文書中の文字や画像の範囲」を意味する。
【００１６】
図１は本発明の第１実施形態に係る認識用ツール１を示しており、（ａ）は認識用ツール１の正面図、（ｂ）は（ａ）のＡ−Ａ線断面図、（ｃ）は（ａ）のＢ−Ｂ線断面図である。
【００１７】
第１実施形態の認識用ツール１は、シュレッダーを販売する目的の営業活動で使用されるものである。販売対象とされるシュレッダーは複数種あり、認識用ツール１は、各種シュレッダーの細断片に表示される文字等の範囲を認識させることが可能なものである。
【００１８】
認識用ツール１は、プラスチックを材料とするシート材２から構成される。シート材２には、複数の窓部３が縦方向に間隔をあけて形成されており、窓部３の各々において、シート材２の表面側（図１（ａ）の手前側）から、シート材２の裏面側（図１（ａ）の奥側）に配置される文書１０（後述の図２）を視ることができる。窓部３の各々は、シート材２の無色透明な部分によって構成されたものであり、その周辺部分が有色の不透明或いは透明とされることで、窓部３の各々と、その周辺部分とが、色の相違で区別可能とされている。シート材２に形成される複数の窓部３は、それぞれサイズが異なっており、窓部３の各々は、販売対象とされる複数のシュレッダーのうち、いずれかのシュレッダーによって細断される細断片と同一のサイズを有している。例えば、上から５番目の窓部３Ａは、約３×１４ｍｍのサイズを有している。これは、約３×１４ｍｍの寸法に細断可能なシュレッダーが販売対象に含まれることによる。
【００１９】
シート材２には、窓部３毎に、当該窓部３とサイズが一致する細断片に関する情報４が記載されている。この情報４には、窓部３とサイズが一致する細断片の縦横の寸法５や、当該寸法の細断片に細断可能なシュレッダーを特定する情報６が含まれており、各情報４は、窓部３の近傍に記載されることで、窓部３との対応関係が明確とされている。例えば、シート材２には、窓部３Ａとサイズが一致する細断片に関する情報４Ａが記載されている。この情報４Ａには、細断片の縦横の寸法５Ａ：約３×１４ｍｍや、約３×１４ｍｍの細断片に細断可能なシュレッダーを特定する情報６Ａ：ｆｇｈ５６７が含まれている（細断片の縦横の寸法５Ａ：約３×１４ｍｍは、窓部３Ａの縦横の寸法に相当する）。情報４Ａが窓部３Ａの近傍に記載されていることで、情報４Ａが窓部３Ａに対応する情報であることが明確とされており、この情報４Ａ（寸法５Ａ・情報６Ａ）によって、窓部３Ａの寸法が約３×１４ｍｍであることや、約３×１４ｍｍの細断片に細断可能なシュレッダーの機種名がｆｇｈ５６７であることが把握できる。なお図１（ａ）では、窓部３の左側に情報４（寸法５や情報６）を記載する例を示しているが、情報４の記載位置は、窓部３の右側・直上・直下など、窓部３の近傍における任意の位置とされ得る。また、窓部３の近傍から情報４の近傍へ延びる引出し線（図示せず）がシート材２の表面に記載されることで、窓部３と情報４との対応関係が明確とされてよい。
【００２０】
第１実施形態の認識用ツール１は、以下の手順（ａ），（ｂ）が順次実行されることで製造される。
（ａ）無色透明のプラスチックからなるシート材２を準備する。
（ｂ）ＵＶ（紫外線）の照射で瞬間的に硬化するインク７を用いるＵＶ印刷法により、シート材２の表面又は裏面における、窓部３以外の範囲に、背景色や情報４を印刷する。この印刷で使用されるインク７は、シアン・マゼンタ・イエロー・ブラックの４色のインクを組み合わせたものであり、これら４色の混合割合が調整されることで、背景色や情報４の色が、表現される。
【００２１】
以上の（ａ），（ｂ）の手順により、無色透明の窓部３と、その周辺部分とが色の相違で区別可能とされているとともに、情報４が記載された認識用ツール１が得られる。なお図１は、背景色や情報４をシート材２の裏面に印刷する場合を示しており、この場合には、シート材２の材料が透明なプラスチックであることで、背景色や情報４がシート材２の表面側から透けて視える。また上記（ａ），（ｂ）の手順は、窓部３以外の範囲を有色の透明とする場合（背景色や情報４を透き通る色で表現する場合）の手順であり、窓部３以外の範囲を有色の不透明とする場合（背景色や情報４を透き通らない色で表現する場合）には、上記の（ｂ）の手順において、シート材２の表面又は裏面における、窓部３以外の範囲に、ＵＶ（紫外線）の照射で瞬間的に硬化する白色インク（図示せず）を塗布することが行われる。白色インクを塗布する面やタイミングは、背景色や情報４をシート材２の表面と裏面のいずれに印刷するかに応じて異なり、背景色や情報４をシート材２の表面に印刷する場合には、この印刷よりも先に、白色インクがシート材２の表面に塗布される（白色インクを塗布した後に、背景色や情報４の印刷が行われる）。背景色や情報４をシート材２の裏面に印刷する場合には、この印刷の後に、白色インクがシート材２の裏面に塗布される（背景色や情報４を印刷した後に、白色インクの塗布が行われる）。以上のように白色インクを塗布することによって、窓部３以外の範囲が不透明となって、背景色や情報４がはっきりとした見栄えになる。
【００２２】
認識用ツール１がシュレッダーの営業活動で使用される際には、図２に示すように、認識用ツール１（シート材２）の裏面側に文書１０を配置することで行われる。そして図３（ａ）に示すように、認識用ツール１（シート材２）に形成されるいずれかの窓部３と、文書１０に記載される文字或いは画像（以下、文字等）とを重ね合わせてみて、窓部３の内側に視える文字等の範囲から、文字等を読み取ることが可能か否か判断することが行われる。窓部３の内側に視える文字等の範囲は、窓部３とサイズが一致する細断片に文書１０が細断された場合に、一の細断片の表面に表示される文字等の範囲に相当する。図３（ａ）は、「たち」という文字を窓部３Ｂと重ね合わせた状態を示しており、「たち」という文字の全体が窓部３Ｂの内側に視えている。これは、窓部３Ｂとサイズが一致する細断片（約６×１４ｍｍの細断片）に文書１０が細断された場合に、「たち」の文字の全体が、細断片の表面に表示される虞があることを意味している。
【００２３】
そして窓部３の内側に視える文字等の範囲から、文字等の読み取りが可能と判断された場合には、図３（ｂ）に示すように、縦或いは横の寸法がより小さな他の窓部３と、文書１０に記載される文字等とを重ね合わせてみて、他の窓部３の内側に視える文字等の範囲から、文字等を読み取れるか否か判断することが行われる。文字等の読み取りが不可能と判断された場合には、他の窓部３の近傍に記載された情報４に基づき、文字等を読み取れなくなる細断片のサイズや、当該細断片に細断可能なシュレッダーが把握される。図３（ｂ）は、「たち」という文字を他の窓部３Ａと重ね合わせた状態を示しており、窓部３Ａの縦寸法が窓部３Ｂの縦寸法よりも小さいことで、窓部３Ａから視える「たち」の範囲は、窓部３Ｂから視える「たち」の範囲よりも小さくなっている。窓部３Ａから視える「たち」の範囲からでは、「たち」という文字を読み取れないと判断される場合には、窓部３Ａの近傍にある情報４Ａ（寸法５Ａ・情報６Ａ）から、文字等を読み取れなくなる細断片の縦横の寸法が約３×１４ｍｍであることや、約３×１４ｍｍの細断片に細断可能なシュレッダーの機種名がｆｇｈ５６７であることが把握される。
【００２４】
本実施形態の認識用ツール１によれば、文書１０に記載される文字等と窓部３とが重なり合うように、認識用ツール１の裏面側に文書１０を配置して、窓部３の内側に視える文字等の範囲を確認することで、細断片に表示される文字等の範囲を視覚的に認識できる。したがって文字等が読み取れなくなる程度に、文書１０を細断できるか否か容易に判断できる。
【００２５】
さらにシート材２の表面に、各窓部３とサイズが一致する細断片の寸法５や、当該寸法の細断片に細断可能なシュレッダーを特定する情報６が、各窓部３と対応付けて記載されていることで、文字等が読み取れなくなる細断片のサイズや、当該サイズの細断片に細断可能なシュレッダーを、顧客に認識させることができる。このため、シュレッダーに対する顧客の購入意欲を高めることができる。
【００２６】
次に本発明の第２実施形態に係る認識用ツール２０について説明する。図４は本発明の第２実施形態に係る認識用ツール２０を示しており、（ａ）は認識用ツール２０の正面図、（ｂ）は（ａ）のＡ−Ａ線断面図、（ｃ）は（ａ）のＢ−Ｂ線断面図である。
【００２７】
第２実施形態の認識用ツール２０は、第１実施形態の認識用ツール１と同様、シュレッダー販売目的の営業ツールとして使用されるものである。図４に示すように、認識用ツール２０は、第１実施形態に示したシート材２に加えて、表面フィルム２１や裏面フィルム２２をさらに備えている。表面フィルム２１や裏面フィルム２２は、プラスチックから形成されるものであり、表面フィルム２１はシート材２の表面に積層され、裏面フィルム２２はシート材２の裏面に積層されており、表面フィルム２１や裏面フィルム２２の寸法がシート材２の寸法よりも大きいことで、表面フィルム２１の外縁２１ａや裏面フィルム２２の外縁２２ａは、シート材２の外側に延び出ている。そして上記のように積層された表面フィルム２１やシート材２や裏面フィルム２２が、熱溶着や超音波溶着等で全面接合されることで、表面フィルム２１と裏面フィルム２２との間にシート材２が挟み込まれた状態が維持される。また、表面フィルム２１や裏面フィルム２２の全体が透明であることで、窓部３の位置において、表面フィルム２１側（認識ツールの表面側）から裏面フィルム２２側（認識ツールの裏面側）に配置される文書１０（後述の図５）を視ることができる。なお必ずしも表面フィルム２１や裏面フィルム２２の全体を透明にする必要はない。窓部３の位置において表面フィルム２１側から裏面フィルム２２側に配置される文書１０を視認可能とすべく、表面フィルム２１や裏面フィルム２２における、少なくとも窓部３の上側や下側に積層される部分が、透明とされればよい。
【００２８】
認識用ツール２０は、第１実施形態に示した手順（ａ），（ｂ）の後に、以下の（ｃ），（ｄ）の手順が実行されることで製造される。
（ｃ）表面フィルム２１の外縁２１ａや裏面フィルム２２の外縁２２ａがシート材２の外側に延び出るように、表面フィルム２１や裏面フィルム２２を、それぞれシート材２の表面や裏面に重ね合わせる。
（ｄ）重ね合わせた表面フィルム２１とシート材２と裏面フィルム２２とを、熱溶着や超音波溶着等で全面接合する。
【００２９】
第２実施形態の認識用ツール２０によれば、図５に示すように、裏面フィルム２２側（シート材２の裏面側）に文書１０を配置して、窓部３の内側に視える文字等の範囲を確認することで、細断片に表示される文字等の範囲を視覚的に認識できる。したがって文字等が読み取れなくなる程度に、文書１０を細断可能か否か容易に判断できる。
【００３０】
また第１実施形態と同様、窓部３の近傍に、細断片の縦横の寸法５や、シュレッダーを特定する情報６が記載されていることで、文字等が読み取れなくなる細断片のサイズや、当該サイズの細断片に文書１０を細断可能なシュレッダーを顧客に認識させることができる。
【００３１】
さらに表面フィルム２１や裏面フィルム２２がシート材２の保護フィルムとして機能することで、シート材２に損傷が生じることを防止できる。
【００３２】
次に本発明の第３実施形態に係る認識用ツール３０について説明する。図６は第３実施形態に係る認識用ツール３０を示しており、（ａ）は認識用ツール３０の正面図、（ｂ）は（ａ）のＡ−Ａ線断面図、（ｃ）は（ａ）のＢ−Ｂ線断面図である。
【００３３】
図６に示す第３実施形態に係る認識用ツール３０は、シュレッダー販売目的の営業ツールとしての用途の他、文書を保持するファイルとしても使用可能なものである。認識用ツール３０は、シート材３１と、これと対向配置される他のシート材３２とを備える。この認識用ツール３０では、シート材３１，３２の一部の端辺同士が繋がり、シート材３１，３２の残余の端辺が開放縁とされることで、シート材３１とシート材３２との間に文書を挟み込んで保持することができる。
【００３４】
具体的には、図６に示す認識用ツール３０は、図７に示す基材シート４０を、幅中央の折り曲げ線４１に沿って折り曲げて、その表側部分をシート材３１とし、その裏側部分をシート材３２としたものである。図６に示す認識用ツール３０では、シート材３１，３２の一方の縦辺３１ａ，３２ａが折り曲げ線４１から構成されて、シート材３１，３２の下辺３１ｂ，３２ｂ同士が熱溶着や超音波溶着で接合されることで、縦辺３１ａ，３２ａ同士や下辺３１ｂ，３２ｂ同士が繋がっており、シート材３１，３２の残余の縦辺３１ｃ，３２ｃや上辺３１ｄ，３２ｄが開放縁とされている（縦辺３１ａ・下辺３１ｂ、縦辺３１ｃ・上辺３１ｄはシート材３１の辺であり、縦辺３２ａ・下辺３２ｂ・縦辺３２ｃ・上辺３２ｄはシート材３２の辺である）。
【００３５】
販売対象のシュレッダーが複数種あることで、シート材３１には、複数の窓部３が形成されており、窓部３の各々において、シート材３１の表面側（図１（ａ）の手前側）から、シート材３１とシート材３２との間に配置される文書１０を視ることができる（すなわちシート材３１の裏面側に配置される文書１０を視ることができる）。窓部３の各々は、シート材３１の無色透明な部分によって構成されたものであり、その周辺部分が有色の不透明或いは透明とされることで、窓部３の各々と、その周辺部分とが、色の相違で区別可能とされている。シート材３１に形成される複数の窓部３は、それぞれサイズが異なっており、窓部３の各々は、販売対象とされる複数のシュレッダーのうち、いずれかのシュレッダーによって細断される細断片と同一のサイズを有している。例えば、シート材３１の中央に形成される窓部３Ａは、約６×１０ｍｍのサイズを有している。これは、約６×１０ｍｍの寸法に細断可能なシュレッダーが販売対象に含まれることによる。
【００３６】
シート材３１には、窓部３毎に、当該窓部３とサイズがそれぞれ一致する細断片に関する情報４が記載されている。この情報４には、窓部３とサイズが一致する細断片の縦横の寸法５や、当該寸法の細断片に細断可能なシュレッダーを特定する情報６が含まれている。情報４の各々は、当該情報４が窓部３の近傍に記載されること、或いは、引出し線５０が窓部３の近傍に記載されることによって、窓部３との対応関係が明確とされている。引出し線５０は、窓部３の近傍から情報４（寸法５や情報６）の近傍へ延びる線分である。
【００３７】
例えば、情報４Ａ（寸法５Ａ，５Ｂ，５Ｃ・情報６Ａ，６Ｂ）は、窓部３Ａ，３Ｂ，３Ｃとサイズが一致する３種の細断片に関するものである。当該３種の細断片は、細断寸法を切替可能な一つのシュレッダーから発生するものであり、上記の情報４Ａには、３種の細断片に細断可能なシュレッダーを特定する情報６Ａ，６Ｂや、３種の細断片の寸法５Ａ，５Ｂ，５Ｃが含まれている（窓部３Ａ，３Ｂ，３Ｃの寸法は、それぞれ細断片の寸法５Ａ，５Ｂ，５Ｃに一致する）。情報６Ａは、「細断寸法を３つのサイズに切替できる」というシュレッダーの性能から、シュレッダーを特定するものである。情報６Ｂは、シュレッダーの画像や機種名（ｂ０１）から、シュレッダーを特定するものである。上記の情報４Ａ（寸法５Ａ，５Ｂ，５Ｃ・情報６Ａ，６Ｂ）は、窓部３Ａ，３Ｂ，３Ｃの近傍に記載されることや、引出し線５０Ａが記載されることによって、窓部３Ａ，３Ｂ，３Ｃに対応する情報であることが明確とされている。
【００３８】
シート材３２は、有色の不透明或いは透明とされるものであり、その色は、シート材３１における窓部３以外の範囲の色と同一である（図６（ａ），図８では、シート材３２をシート材３１よりも薄い色で表現しているが、これはシート材３１の裏面側にシート材３２が存在することを明確にすべく行っていることであり、シート材３１の色とシート材３２の色とが異なることを意味するものではない）。
【００３９】
上述の第３実施形態の認識用ツール３０は、以下の手順（ａ）〜（ｅ）が順次実行されることで製造される。
（ａ）無色透明のプラスチックからなる基材シート４０を準備する。
（ｂ）ＵＶ（紫外線）の照射で瞬間的に硬化するインク７を用いるＵＶ印刷法により、基材シート４０の一方面に、背景色や、情報４の有色部分（シュレッダーの画像等）を、印刷する（上記基材シート４０の一方面は、認識用ツール３０が仕上がった際の内側となる面である）。この印刷で使用されるインク７は、シアン・マゼンタ・イエロー・ブラックの４色のインクを組み合わせたものであり、これら４色の混合割合が調整されることで、背景色や、情報４の有色部分の色が表現される。なおこの際には、窓部３となる範囲や、情報４（寸法５・情報６）の白色部分となる範囲や、引出し線５０となる範囲には、印刷は行われない。
（ｃ）基材シート４０の一方面における窓部３以外の範囲に、白色インク（図示せず）を塗布する。この白色インクも、ＵＶ（紫外線）の照射で瞬間的に硬化するものである。この白色インクの塗布により、背景色や、情報４の有色部分がはっきりとした見栄えとなるとともに、情報４の白色部分や引出し線５０が、白色インクによって表現される（すなわち、基材シート４０は、図７に示す状態になる）。
（ｄ）基材シート４０の一方面が内側となるように、基材シート４０を折り曲げ線４１に沿って折り曲げる。
（ｅ）基材シート４０の表側部分の下辺３１ｂ（シート材３１の下辺３１ｂ）と、基材シート４０の裏側部分の下辺３２ｂ（シート材３２の下辺３２ｂ）とを、熱溶着或いは超音波溶着で接合する。
【００４０】
以上の（ａ）〜（ｅ）の手順により、無色透明の窓部３と、その周辺部分とが色の相違で区別可能とされ、情報４や引き出し線５０が記載された認識用ツール３０が得られる（背景色や情報４や引き出し線５０は、シート材３１，３２の内側面に印刷されたものとなるが、シート材３１，３２の材料が透明なプラスチックであることで、背景色や情報４や引き出し線５０は、外側から透けて視える）。なお上記（ａ）〜（ｅ）の手順は、認識用ツール３０における窓部３以外の範囲を有色の不透明とする場合の手順であり、窓部３以外の範囲を有色の透明とする場合には（すなわち背景色・情報４・引出し線５０を透き通る色で表現する場合には）、（ｃ）の白インクの塗布は省略される。このようにすることで、シート材３１，３２の全体が透明である認識用ツール３０が得られる（すなわち窓部３が無色透明であり、窓部３以外の範囲が有色透明である認識用ツール３０が得られる）。また、情報４や引出し線５０は、必ずしも（ｃ）に示す白色インクで表現される必要はなく、（ｂ）に示すシアン・マゼンタ・イエロー・ブラックのインクの組み合わせで任意の色に表現され得る。
【００４１】
第３実施形態の認識用ツール３０によれば、図８に示すようにシート材３１とシート材３２との間に文書１０を配置して（すなわちシート材３１の裏面側に文書１０を配置して）、窓部３の内側に視える文字等の範囲を確認することで、細断片に表示される文字等の範囲を視覚的に認識できる。したがって文字等が読み取れなくなる程度に、文書１０を細断できるか否か容易に判断できる。
【００４２】
またシート材３１の表面に、各窓部３とサイズが一致する細断片の寸法５や、当該寸法の細断片に細断可能なシュレッダーを特定する情報６が、各窓部３と対応付けて記載されていることで、文字等が読み取れなくなる細断片のサイズや、当該サイズの細断片に文書１０を細断可能なシュレッダーを顧客に認識させることができる。
【００４３】
また認識用ツール３０は、シート材３１とシート材３２との間に文書１０を挟み込むことで、文書を保持するファイルとしても使用できる。このため認識用ツール３０は、顧客にとっても実用性に優れる。シート材３１，３２を透明なものとすることで、認識用ツール３０を、外側からシート材３１，３２の間に挟み込んだ文書１０を視ることのできるクリアファイルにすることができる。
【００４４】
なお本発明の認識用ツールは、上記の実施形態に示すものに限定されず、特許請求の範囲において種々改変することができる。
【００４５】
例えば、第１〜第３実施形態のシート材２，３１に形成する窓部３の数は、販売対象のシュレッダーの数に応じて単数或いは任意の複数に設定され得る。またシート材２，３１に記載される情報４（寸法５・情報６）の数も、窓部３の数に応じて単数或いは任意の複数に設定され得る。
【００４６】
また第３実施形態の認識用ツール３０（図６〜図８）では、シート材３１だけでなくシート材３２にも窓部３が形成されてもよく、これに伴い、シート材３２にも情報４（寸法５・情報６）が記載されてもよい。
【００４７】
また上述した第１〜第３実施形態では、窓部３を無色透明とする例を示したが、窓部３から文字等を視ることができる限りにおいて、窓部３に色が付けられていてもよい。この場合、上述した第１〜第３実施形態の認識用ツール１，２０，３０を製造する（ａ），（ｂ）の手順は、例えば以下のように変更される。
（ａ）有色透明のプラスチックからなるシート材２或いは基材シート４０を準備する。
（ｂ）プラスチックとは異なる色のインクを用いるＵＶ印刷法により、シート材２の表面又は裏面や、基材シート４０の一方面における、窓部３以外の範囲に、背景色や情報４や引出し線５０（第３実施形態）を印刷する。
以上のように（ａ），（ｂ）の手順が変更されることで、有色透明の窓部３と、その周辺部分とが、色の相違で区別可能とされた認識用ツール１，２０，３０が得られる。なお上記のように（ａ），（ｂ）の手順が変更される場合でも、シート材２の表面又は裏面や、基材シート４０の一方面における、窓部３以外の範囲に、白色インクを塗布することで、窓部３以外の範囲を不透明にすることができる。白色インクを塗布するタイミングは、上記第１〜第３実施形態で示したものと同様である。
【００４８】
また第３実施形態の認識用ツール３０を製造する際には、基材シート４０の他方面における、窓部３以外の範囲に、背景色・情報４・引出し線５０が印刷されてもよい（基材シート４０の他方面とは、認識用ツール３０の外側面となる面、つまり、基材シート４０を折り曲げ線４１に沿って折り曲げた後に、外側面となる面である）。またさらに背景色・情報４・引出し線５０をはっきりとした見栄えとすべく、基材シート４０の他方面における、窓部３以外の範囲に、白色インクが塗布されてもよい。この白色インクの塗布は、背景色・情報４・引出し線５０の印刷後に行われる。なお上記第３実施形態で示したように、認識用ツール３０の内側面となる基材シート４０の一方面に、背景色・情報４・引出し線５０・白色インクを印刷又は塗布すれば、これらの色落ちを小さく抑えることができる。
【００４９】
また、シート材２や基材シート４０に色・情報４・引出し線５０を印刷する方法は、上記のＵＶ印刷法に限定されず、プラスチックに適用可能な種々の着色方法とすることができる。例えば、シート材２や基材シート４０を構成するプラスチックに顔料を添加することで、色・情報４・引出し線５０がシート材２や基材シート４０に付されてもよい。
【００５０】
また、第１〜第３実施形態の認識用ツール１，２０，３０では、情報４や引出し線５０は記載されなくてもよい。この場合でも、顧客に対して口頭で、窓部３に対応する細断片のサイズや、当該サイズの細断片に細断可能なシュレッダーを説明すれば、文字等が読み取れなくなる細断片のサイズや、当該サイズの細断片に文書を細断可能なシュレッダーを顧客に認識させることができる。
【００５１】
また第１及び第２実施形態の認識用ツール１，２０では、製造コストを安価とすべく、シート材２を紙材から形成して、当該紙材の貫通孔によって窓部３を構成してもよい。この場合、上述した第１及び第２実施形態の認識用ツール１，２０を製造する（ａ），（ｂ）の手順は以下のように変更される。
（ａ）紙材からなるシート材２を準備する。
（ｂ）シート材２の適宜の箇所をくり抜くことで、窓部３となる貫通孔を形成し、シート材２における各窓部３の近傍に、細断片に関する情報４を印刷する。
【符号の説明】
【００５２】
１，２０，３０  認識用ツール
２  シート材
１０  文書
３  窓部
４  細断片に関する情報
５  細断片の縦横の寸法
６  シュレッダーを特定する情報
２１  表面フィルム
２２  裏面フィルム
３１  他のシート材
【図１】
0006665039.tif 000002
【図２】
0006665039.tif 000003
【図３】
0006665039.tif 000004
【図４】
0006665039.tif 000005
【図５】
0006665039.tif 000006
【図６】
0006665039.tif 000007
【図７】
0006665039.tif 000008
【図８】
0006665039.tif 000009